(57)【特許請求の範囲】
【請求項１】
取水管の取水口側の端末金具に、その中心軸線と直交して互いに反対方向に突出する一対のピンを取り付け、このピンを取水管端末支持台のピン受け凹部に落とし込むことにより、取水管の端末を前記ピンを中心として揺動可能に支持してなる取水管の端末支持装置において、前記ピンが端末金具のまわりに回転可能に取り付けられた筒体に固定され、前記取水管の端末を吊り上げたときに、取水管が取水管端末支持台に対してねじれても、前記筒体を端末金具のまわりに回転させることにより前記ピンが取水管端末支持台のピン受け凹部に合わせられるようになっていることを特徴とする取水管の端末支持装置。
【発明の詳細な説明】
【０００１】
【発明の属する技術分野】
本発明は、主に海水等を取水するのに使用される取水管の、取水口側の端末支持装置に関するものである。
【０００２】
【従来の技術】
海水や湖水等の取水には一般に、硬質ポリエチレン管の外側に鉄線鎧装を施した取水管が使用されている。取水管はその先端が所要の深さの水底（海底又は湖底等）に位置するように布設されるが、先端の取水口が水底に着いていると、水底の砂などを吸い込んでしまうため、取水管の取水口側の端末は、端末支持装置によって取水口を上に向けた状態に支持することにより、砂などの吸い込みを防止している。
【０００３】
従来の取水管の端末支持装置は、特開平8-254287号公報に開示されているように、取水管の取水口側の端末金具に、その中心軸線と直交して互いに反対方向に突出する一対のピンを取り付け、このピンを取水管端末支持台のピン受け凹部に落とし込むことにより、取水管の端末を前記ピンを中心として揺動可能に支持する構造となっている。
【０００４】
【発明が解決しようとする課題】
しかしながら従来の取水管の端末支持装置は、取水管の端末金具にピンが固定された構造になっているため、取水管の端末を吊り上げて端末支持台のピン受け凹部にピンを落とし込むときに、取水管が鉄線鎧装のトルク等でねじれるために、ピンの向きをピン受け凹部に合わせることが難しく、取水管の端末を端末支持台に取り付ける作業に時間がかかるという問題があった。
【０００５】
本発明の目的は、取水管の端末を吊り上げて端末支持台のピン受け凹部にピンを落とし込む作業を簡単に行えるようにした取水管の端末支持装置を提供することにある。
【０００６】
【課題を解決するための手段】
この目的を達成するため本発明は、取水管の取水口側の端末金具に、その中心軸線と直交して互いに反対方向に突出する一対のピンを取り付け、このピンを取水管端末支持台のピン受け凹部に落とし込むことにより、取水管の端末を前記ピンを中心として揺動可能に支持してなる取水管の端末支持装置において、前記ピンが端末金具のまわりに回転可能に取り付けられた筒体に固定され、前記取水管の端末を吊り上げたときに、取水管が取水管端末支持台に対してねじれても、前記筒体を端末金具のまわりに回転させることにより前記ピンが取水管端末支持台のピン受け凹部に合わせられるようになっていることを特徴とするものである。
【０００７】
【発明の実施の形態】
以下、本発明の実施の形態を、図面を参照して詳細に説明する。
【０００８】
図１及び図２は本発明の一実施形態である取水管端末支持装置の全体構成を示す。図において、10は取水管、12は取水管10の取水口側の端末を海底14から持ち上げた状態に支持する端末支持台である。端末支持台12は、海底14に着底する基底枠16と、この基底枠16から立ち上がる３本の支柱18と、この支柱18の頂部に取り付けられた支持板20とから構成されている。この実施形態の端末支持台12は取水管を支持する大型のもので、ちなみに基底枠16から支持板20までの高さは一般的に高所作業といわれる２ｍ以上ある。このため支柱18のうち少なくとも１本には、はしご22が取り付けられ、支持板20の周囲には作業用の足場24と転落防止用の柵26が設けられている。
【０００９】
取水管10は、図３に示すように、ポリエチレン管28の外側に鉄線鎧装30を施したもので、その取水口側の端部には端末金具32が取り付けられている。端末金具32は、鉄線鎧装30の端部を引き留める引留金具34、取水管10の端末をクレーンで吊り上げて海底に沈設するワイヤを取り付けるための吊金具36、引留金具34と吊り金具36を連結する連結管38などから構成されている。
【００１０】
連結管38の外側には筒体40が回転可能に取り付けられ、この筒体40には一対のピン42が固定されている。一対のピン42は、端末金具32を前記端末支持台12に支持させるためのもので、端末金具32の中心軸線と直交する線上で互いに反対方向に突出している。筒体42は二つ割り型の軸受の形態であり、連結管38を軸として回転可能である。したがってピン42も連結管38のまわりに回転可能である。
【００１１】
図４〜図６は、上記のように構成された取水管10の端末を端末支持台12の支持板20に支持させた状態を示す。支持板20には取水管10の端末を正面側から受け入れる切欠き部44が形成されている。切欠き部44の入口は、取水管10の端末をセットした後に閉鎖部材46で塞がれる。
【００１２】
支持板20の切欠き部44の両側には図７に示すようなピン受け部材48が立設されている。ピン受け部材48には、取水管10の端末のピン42を受け入れるピン受け凹部50が形成されている。またピン受け部材48の外側には、図４〜図６に示すように、ピン受け凹部50に落とし込まれたピン42が脱出しないようにする脱出防止金具52が取り付けられている。この脱出防止金具52は、取水管10の端末を端末支持台12ごと吊り上げて海中に沈めるときに、端末支持台12全体をピン42に吊り下げる働きをする。
【００１３】
さて図３のように構成された取水管10の端末を、端末支持台12の支持板20上にセットするときは、閉鎖部材46を取り外し、脱出防止金具52を図８の二点鎖線のように外側へ倒した状態にして、吊り金具36をクレーンで吊り上げ、取水管10の端末を支持板20の切欠き部44内に導入した後、徐々に下降させてピン42をピン受け部材48のピン受け凹部50に落とし込むのであるが、取水管10の端末を吊り上げると、取水管10にねじれが発生する。従来の装置では取水管10のねじれによりピン42の方向が変わってしまうため、ピン42をピン受け凹部50へ落とし込む作業が難しかったのであるが、この装置では、取水管10がねじれても、取水管10の端末を支持板20の切欠き部44内に導入した後に、ピン42をピン受け凹部50に合う位置に回転させればよいので、ピン42をピン受け凹部50に落とし込む作業をきわめて簡単に行うことができる。
【００１４】
ピン42をピン受け凹部50に落とし込んだ後は、切欠き部44の入口に閉鎖部材46を取り付け、脱出防止金具52を図８の実線のように直立させればよい。これで取水管10の端末は端末支持台12にピン42を中心として揺動可能に支持された状態となる。
【００１５】
【発明の効果】
以上説明したように本発明によれば、取水管の端末金具の両側に突出するピンが、端末金具のまわりに回転可能に取り付けられた筒体に固定されているので、取水管の端末を吊り上げたときに、取水管がねじれても、前記筒体を端末金具のまわりに回転させることによりピンを端末支持台のピン受け凹部に合わせることができ、したがって取水管の端末のピンをピン受け凹部に落とし込む作業をきわめて容易に効率よく行うことができる。
【図面の簡単な説明】
【図１】  本発明に係る取水管端末支持装置の一実施形態の全体構成を示す側面図。
【図２】  同じく平面図。
【図３】  図１の装置における取水管の端末を示す断面図。
【図４】  図３に示した取水管の端末を端末支持台に支持させた状態の要部を示す正面図。
【図５】  同じく図４のＡ−Ａ線矢視側面図。
【図６】  同じく平面図。
【図７】  端末支持台のピン受け部材を示す拡大側面図。
【図８】  端末支持台のピン脱出防止金具の動作を示す拡大正面図。
【符号の説明】
10：取水管
12：端末支持台
14：海底
16：基底枠
18：支柱
20：支持板
32：端末金具
34：引留金具
36：吊り金具
38：連結管
40：筒体
42：ピン
44：切欠き部
48：ピン受け部材
50：ピン受け凹部
52：脱出防止金具
【図１】
0004057267.tif 000002
【図２】
0004057267.tif 000003
【図３】
0004057267.tif 000004
【図４】
0004057267.tif 000005
【図５】
0004057267.tif 000006
【図６】
0004057267.tif 000007
【図７】
0004057267.tif 000008
【図８】
0004057267.tif 000009